(57)【特許請求の範囲】
【請求項１】
プラグハウジングを含み、前記プラグハウジングには差込刃が設けられており、さらにプラグ分離機構を含み、前記プラグ分離機構はスリーブ、前記スリーブ内に貫設されたエジェクターピン、エジェクターピン制御機構及び前記エジェクターピンを前記プラグハウジングの前記差込刃のある側から延出するよう駆動する第１バネが含まれ、前記エジェクターピン制御機構には、前記エジェクターピンに設けられた係着部、前記係着部と係合して前記第１バネを収縮状態に維持させる係合頭部、前記係合頭部が前記係着部に引っ掛かるよう駆動する第２バネ、及び前記係合頭部が前記係着部と分離するよう駆動するボタンが含まれることを特徴としており、前記スリーブには支持部が設けられており、前記支持部には内蓋が接続されており、前記内蓋と前記支持部の間には摺動穴が形成され、前記ボタンは前記摺動穴内に摺動接続され、前記エジェクターピンは前記スリーブ内に懸架されており、前記第１バネは前記エジェクターピンと前記内蓋の間に位置しており、前記ボタンと前記係合頭部は互いに接続され、前記プラグハウジングの前記差込刃が設けられている側には前記エジェクターピンが突き出せるように設けられたエジェクターピン用貫通孔が設けられており、前記ボタンの一端は前記プラグハウジングに貫設されており、
前記エジェクターピン制御機構は、返し部及び前記エジェクターピンに設けられて前記返し部と係合するフック継手部をさらに含み、前記係合頭部及び前記返し部は前記エジェクターピンの両側に配置され、前記返し部は前記プラグハウジング又は前記スリーブ上にヒンジ連結され且つ前記ボタンによって駆動されて揺動する、ことを特徴するモジュール化プラグ分離機構が設けられたポップアッププラグ。
【請求項２】
プラグハウジングを含み、前記プラグハウジングには差込刃が設けられており、さらにプラグ分離機構を含み、前記プラグ分離機構はスリーブ、前記スリーブ内に貫設されたエジェクターピン、エジェクターピン制御機構及び前記エジェクターピンを前記プラグハウジングの前記差込刃のある側から延出するよう駆動する第１バネが含まれ、前記エジェクターピン制御機構には、前記エジェクターピンに設けられた係着部、前記係着部と係合して前記第１バネを収縮状態に維持させる係合頭部、前記係合頭部が前記係着部に引っ掛かるよう駆動する第２バネ、及び前記係合頭部が前記係着部と分離するよう駆動するボタンが含まれることを特徴としており、前記スリーブには支持部が設けられており、前記支持部には内蓋が接続されており、前記内蓋と前記支持部の間には摺動穴が形成され、前記ボタンは前記摺動穴内に摺動接続され、前記エジェクターピンは前記スリーブ内に懸架されており、前記第１バネは前記エジェクターピンと前記内蓋の間に位置しており、前記ボタンと前記係合頭部は互いに接続され、前記プラグハウジングの前記差込刃が設けられている側には前記エジェクターピンが突き出せるように設けられたエジェクターピン用貫通孔が設けられており、前記ボタンの一端は前記プラグハウジングに貫設されており、
前記エジェクターピン制御機構は２つあり、２つの前記エジェクターピン制御機構のボタンは前記エジェクターピンの両側に配置し、前記２つのエジェクターピン制御機構で前記第２バネを共用し、
前記２つのエジェクターピン制御機構のうち、１つのエジェクターピン制御機構のボタンの内端には、内端の端面を起点に前記ボタンの押圧方向に沿って延在する摺動溝が設けられており、もう１つのエジェクターピン制御機構のボタンの内端は摺動溝内に摺動接続され、前記第２バネは前記摺動溝内に位置し、且つ前記摺動溝の延在方向に沿って延在しており、前記第２バネの両端は前記２つのエジェクターピン制御機構のボタンと互いに接続して配置される、ことを特徴するモジュール化プラグ分離機構が設けられたポップアッププラグ。
【請求項３】
前記内蓋には、前記第１バネの前記エジェクターピンから離れている一端内に貫設されたリミットピンが設けられている、ことを特徴する請求項１又は請求項２に記載のモジュール化プラグ分離機構が設けられたポップアッププラグ。
【請求項４】
前記係合頭部は前記ボタンに固定接続され、且つ前記ボタンを押圧すると前記係合頭部が並進運動する、ことを特徴する請求項１又は請求項２に記載のモジュール化プラグ分離機構が設けられたポップアッププラグ。
【請求項５】
前記エジェクターピンの内端には、前記エジェクターピンの延在方向に沿って延在するバネ取付穴が設けられており、前記第１バネは前記バネ取付穴内に設けられている、ことを特徴する請求項１又は請求項２に記載のモジュール化プラグ分離機構が設けられたポップアッププラグ。
【発明の詳細な説明】
【技術分野】
【０００１】
本発明はプラグに関し、特にモジュール化プラグ分離機構が設けられたポップアッププラグに関するものである。
【背景技術】
【０００２】
プラグは、コンセントと接合して電源を電気製品に供給するための部材である。プラグの基本構造には、プラグハウジング及びプラグハウジングに接続された差込刃（差込プラグとも称する）が含まれ、使用時に差込刃をコンセントの差込口に差し込むと、ソケットと互いに接続されて電源が引き出される。ソケットと差込刃の間が確実に接続されることを保証するため、ソケットは比較的大きな把握力で差込刃を挟持するように設計されており、プラグを抜く時にはコンセントが損傷しないように片手でコンセントを押さえ、もう一方の手でプラグを掴む方法で抜く必要があり、特にプラグが電源タップに差し込まれている場合には、必ず両手で抜かなければならず、抜く時に不便であった。把握力がかなり大きいか又は使用者の力が若干弱い場合には、使用者がプラグを外向きに力を入れて抜きながら両側に揺らさなければプラグを抜くことができず、そのようにするとコンセントのソケットの把握力が非正常状態で低下し、壁コンセントの脱落を招いてしまう。そのため、分離機構を有するプラグを設けたが、プラグの分離機構には、スリーブ、スリーブ内に貫設されたエジェクターピン、エジェクターピン制御機構及びエジェクターピンを差込刃のある側からプラグハウジングまで延出するよう駆動する第１バネが含まれ、エジェクターピン制御機構には、エジェクターピンに設けられた係着部、係着部と係合してエジェクターピンを収縮状態に維持させる係合頭部、係合頭部が係着部に引っ掛かるよう駆動する第２バネ、及び係合頭部が係着部と分離するよう作動させるボタンが含まれている。従来のプラグ分離機構は、ディスクリート部品方式でプラグハウジング内に取り付けられたものであり、プラグハウジングを分解するとプラグ分離機構の各部材が散開してしまい、使用者に散開後もう一度プラグを組み立てるという設置の不便さを与え、使用者が組み直せないという状況を招いていた。
【発明の概要】
【発明が解決しようとする課題】
【０００３】
本発明は、従来のプラグ分離機構の各部材がディスクリート状態にあり、プラグハウジングを分解すると散開し、使用者がプラグを組み立てるのに不便であるという課題を解決する、モジュール化プラグ分離機構が設けられたポップアッププラグを提供する。
【課題を解決するための手段】
【０００４】
上述の技術的課題は、次の技術案によって解決する。モジュール化プラグ分離機構が設けられたポップアッププラグであって、プラグハウジングを含み、前記プラグハウジングには差込刃が設けられており、さらにプラグ分離機構を含み、前記プラグ分離機構はスリーブ、スリーブ内に貫設されたエジェクターピン、エジェクターピン制御機構及びエジェクターピンを差込刃のある側からプラグハウジングまで延出するよう駆動する第１バネが含まれ、前記エジェクターピン制御機構には、エジェクターピンに設けられた係着部、係着部と係合してエジェクターピンを収縮状態に維持させる係合頭部、係合頭部が係着部に引っ掛かるよう駆動する第２バネ、及び係合頭部が係着部と分離するよう駆動するボタンが含まれることを特徴としており、前記スリーブには支持部が設けられており、前記支持部には内蓋が接続されており、前記内蓋と支持部の間には摺動穴が形成され、前記ボタンは摺動穴内に摺動接続され、前記エジェクターピンはスリーブ内に懸架されており、前記第１バネは前記エジェクターピンと内蓋の間に位置しており、前記ボタンと係合頭部は互いに接続され、前記プラグハウジングの差込刃が設けられている側にはエジェクターピンが突き出せるように設けられたエジェクターピン用貫通孔が設けられており、前記ボタンの一端は前記プラグハウジングに貫設されていることを特徴としている。本発明のスリーブ及び内蓋は、他の部材に制限を設けた筐体を構成し、各部材の一体的な取り外し及び取り付けを可能としており、モジュール化設計は本発明の自動化生産及び一体化プラグ（即ちプラグハウジングが一体構造のプラグ）への応用に都合が良い。
【０００５】
使用においては、初期状態でエジェクターピンが延出状態にある場合には、差込刃をコンセントに差し込む過程において、コンセントハウジングがエジェクターピンをプラグハウジング内に向かって押圧して収縮させることで第１バネが蓄勢され、エジェクターピンが収縮して係合頭部と接触すると、係合頭部を押し開き且つ引き続き収縮して、第２バネに変形が生じて蓄勢される。プラグが所定の位置に達すると、エジェクターピンの収縮が止まり、この時点で係着部が係合頭部と位置決めされ（又は係合頭部のエジェクターピン外端から離れている側に位置し、この状態では第１バネの作用下でエジェクターピンに延出動作を生じさせることが可能）、第２バネの作用下で係合頭部が係着部まで延び、エジェクターピンが引っ掛かって外側へ延出できなくなる。プラグを抜きたい場合には、ボタンを押圧し、ボタンが係合頭部を駆動して係着部と分離させるとともに第２バネが蓄勢され、第１バネの作用下でエジェクターピンが弾き出され、エジェクターピンが弾き出される時にコンセントハウジングに対する押圧力が生じ、コンセントにはエジェクターピンに対する反作用力が生じ、この反作用力がプラグをコンセントから抜き出す作用を果たして、プラグを抜く時の力を省けるようにさせる。
【０００６】
内蓋には、第１バネのエジェクターピンから離れている一端内に貫設されたリミットピンが設けられているのが好ましい。これにより押圧過程中、第１バネに軸方向の座屈が生じる可能性を低減することができる。
【０００７】
係合頭部及びボタンは、エジェクターピンの半径方向の両側に配置するのが好ましい。プラグハウジングが扁平構造である場合に配置しやすく、３極プラグの多くは扁平構造である。
【０００８】
エジェクターピン制御機構は、返し部及びエジェクターピンに設けられて返し部と係合するフック継手部をさらに含み、係合頭部及び返し部はエジェクターピンの両側に配置され、返し部はプラグハウジング又はスリーブ上にヒンジ連結され且つボタンによって駆動されて揺動するのが好ましい。これによりエジェクターピン係着機構の新しい技術案が提供される。
【０００９】
係合頭部は、ボタンに固定接続され、且つボタンを押圧すると係合頭部が並進運動するのが好ましい。係合頭部を揺動させる方法で係着部との開閉を行う場合、プラグ内に配置する上で不便であるばかりか、係合頭部が係着部に係着する時に第１バネに生じる係合頭部への力のモーメントをゼロにするのが難しくなり、第２バネを弾性力が大きいバネで設計する必要が生じる。
【００１０】
エジェクターピン制御機構は２つあり、２つのエジェクターピン制御機構のボタンはエジェクターピンの両側に配置し、２つのエジェクターピン制御機構で第２バネを共用するのが好ましい。これにより構造がコンパクトになり、駆動時の力が省ける。
【００１１】
２つのエジェクターピン制御機構のうち、１つのエジェクターピン制御機構のボタンの内端には、内端の端面を起点にボタンの押圧方向に沿って延在する摺動溝が設けられており、もう１つのエジェクターピン制御機構のボタンの内端は摺動溝内に摺動接続され、第２バネは摺動溝内に位置し、且つ摺動溝の延在方向に沿って延在しており、第２バネの両端は２つのエジェクターピン制御機構のボタンと互いに接続して配置されるのが好ましい。
【００１２】
エジェクターピンの内端には、エジェクターピンの延在方向に沿って延在するバネ取付穴が設けられており、第１バネはバネ取付穴内に貫設されるのが好ましい。これによりプラグの高さ（差込刃の延在方向をプラグの高さ方向とする）の空間を最大限に利用することができ、製品の高さが低減するとともにバネの取り付け空間を増やすことができる。
【００１３】
プラグハウジング内にはＬ極オンオフ制御スイッチが設けられており、Ｌ極オンオフ制御スイッチは、第１接点、第２接点、整流子、永久磁石及び第１接点と第２接点の間に摺動接続された通電子を含み、通電子は導電性バネを介して第２接点と互いに接続され、通電子には通電アームがヒンジ連結されており、第１接点は差込刃中のＬ極の差込刃と互いに接続され、第２接点はプラグの電源線に電源を引き出すためのものであり、永久磁石は通電アームを第１接点と吸着させて互いに接続するためのものであり、通電アームはさらに整流子によって支持された牽引線を通じてエジェクターピンと互いに接続され、係合頭部が係着部と互いに係着すると、通電アームが第１接点と互いに接続され、エジェクターピンが係合頭部に係合された係着部の固定位置からプラグハウジングの外部向きに移動して変位が生じると、エジェクターピンが牽引線を通じて通電アームを牽引して第１接点と分離させるのが好ましい。従来のプラグをコンセントに差し込む過程では、差込刃とコンセントのソケットが触れるだけで直ちにプラグと接続された電気製品に引き込まれるが、差込刃を所定の位置まで差し込むか、又は抜き取るためにはソケット上を一定の距離と時間をかけて移動しなければならず、差し込み及び抜き取りの過程でプラグの差込刃とコンセントのソケットとの間に時折スパーク現象が生じることがあり、スパーク現象が長いほど不利な結果が生じる可能性も大きくなるが（接触抵抗の増加を招き、周囲の可燃物に引火するなど）、本技術案はスパーク時間を短縮することができる。プラグを差し込む時、係着部が係合頭部に係合されて引っ掛かる位置までエジェクターピンが収縮しきっていない時点で、通電アームは牽引線の作用下で第１接点と切断されているため（即ち差し込み又は抜き取りの動作過程）、電気がプラグの電線経由で電気製品を通って回路を形成することができないので、Ｌ極の差込刃がソケットと接触していないとしてもスパークが生じることはなく、プラグが所定の位置まで差し込まれた後、係着部が係合頭部に係合されて互いに係着するまでエジェクターピンが収縮した時には、牽引線が通電アームと第１接点を切り離すことができず、永久磁石の作用下で通電アームが第１接点と互いに接触して第１接点と第２接点が導通し、電気がプラグに通って引き出すことができるようになる。プラグを抜き取る時は、ボタンを動作させると係合頭部と係着部が離され、第１バネがエジェクターピンの延出を駆動して、エジェクターピンの延出過程で牽引線が通電アームと第１接点を切り離すことにより、電源の遮断が実現する。通電アーム間は第２接点にではなく、通電子を設計し、且つ摺動可能に設計した通電子に設置し、通電子と第２接点は導電性バネを介して接続させることで、製造時の利便性を向上させることができる。直接接続した場合、牽引線の長さの精度に対する要求が高くなり、精度の要求が高いと製造の難易度も増してしまうが、この形態であれば、牽引線の長さの差を導電性バネの伸縮で補うことができる。
【００１４】
本発明はさらにエジェクターピン固定パワーアシスト機構を含み、エジェクターピン固定パワーアシスト機構は、エジェクターピンに設けられたエジェクターピン部ピン穴、プラグハウジングに設けられたハウジング部ピン穴、ハウジング部ピン穴に位置する固定ピン、ハウジング部ピン穴内に向かって移動するよう固定ピンを駆動する磁石、磁石の吸引力に打ち勝ってエジェクターピン部ピン穴内に向かって移動するよう固定ピンを駆動する電磁石及びボタンスイッチを含み、ボタンスイッチは常閉型スイッチであり、電磁石、ボタンスイッチ及びＬ極オンオフ制御スイッチは差込刃のＬ極とＮ極の間に直列接続されており、ボタンには押圧式スイッチを押した時に押圧式スイッチの切断を駆動するヘッダーが設けられている。エジェクターピンが係着部を係合頭部に係合されて固定されている時、エジェクターピン部ピン穴とハウジング部ピン穴は位置が合っており、エジェクターピン部ピン穴の深さは固定ピンの長さより浅く、ハウジング部ピン穴の深さは固定ピンの長さより深い。これにより、エジェクターピンが収縮位置にある時にエジェクターピンをしっかり固定することで係合頭部の応力を低減して、係合頭部の破損を防ぐことができるだけでなく、係合頭部の離脱時においてもエジェクターピンの弾き出しに影響を与えずに離脱することができる。
【発明の効果】
【００１５】
本発明は次の利点を有する。プラグを片手操作で簡単に抜くことができ、もう一方の手でコンセントを押さえる必要がない。健常者にとっては利便性が大いに向上し、片手しかない障害者にとっては必然的に選択される製品となる。モジュール化設計は本発明の自動化生産及び一体化プラグ（即ちプラグハウジングが一体構造のプラグ）への応用に都合が良い。好ましい形態においては、係合頭部を並進させて係着部との開閉を行う方法の実現に都合がよい。
【図面の簡単な説明】
【００１６】
【図１】本発明の実施例１の概略図である。
【図２】プラグ分離機構の分解図である。
【図３】本発明の実施例１を使用した状態の概略図である。
【図４】本発明の実施例２の概略図である。
【図５】本発明の実施例３におけるプラグ分離機構の分解図である。
【図６】本発明の実施例４におけるプラグ分離機構の分解図である。
【図７】本発明の実施例５の概略図である。
【図８】本発明の実施例６の構造概略図である。
【図９】電磁石の制御回路図である。
【発明を実施するための形態】
【００１７】
以下、本発明を図面と実施例に基づいてさらに説明する。
【００１８】
（実施例１）
図１を参照して、モジュール化プラグ分離機構が設けられたポップアッププラグは、プラグハウジング１及びプラグ分離機構２を含む。
【００１９】
プラグハウジング１には差込刃１１が設けられている。差込刃１１の数量はプラグの極数によって決定され、例えば２極プラグの場合には差込刃が２本あり、３極プラグの場合には差込刃が３本ある。プラグハウジング１は、一体型とコンポーネント型のものがあるが、本実施例が示しているのはコンポーネント型の３極プラグであり、この場合、プラグハウジング１は第１半部１２及び第２半部１３を含む。差込刃１１は第１半部１２に接続されている。第１半部１２及び第２半部１３は、ボルトを第１半部１２に通してから第２半部１３のナット用リミット穴１３１内に位置するナットにねじ接続して互いに固定されており、第２半部１３にはさらに遮蔽板１４が設けられている。遮蔽板１４は、ナット用リミット穴１３１を遮蔽するためのものである。第１半部１２と第２半部１３の結合部には、ボタン逃がし穴１５が設けられている。
【００２０】
プラグ分離機構２は、エジェクターピン制御機構２１、スリーブ２２及びスリーブ内に貫設されたエジェクターピン２３を含む。エジェクターピン制御機構２１は２つある。２つのエジェクターピン制御機構２１は、エジェクターピン２３の両側に配置されている。エジェクターピン制御機構２１はボタン２１１を含む。スリーブ２２の一端には支持部２２１が設けられている。支持部２２１は２つある。２つの支持部２２１は、スリーブ２２の両側に配置されている。支持部２２１には内蓋２２２が接続されている。内蓋２２２と支持部２２１の間には摺動穴２２３が形成されている。ボタン２１１は摺動穴２２３内に摺動接続されており、ボタン２１１を支持部２２１に摺動接続せしめる。
【００２１】
図２を参照して、さらに第１バネ２４を含む。第１バネ２４は、内側第１バネ２４１及び外側第１バネ２４２を含む。外側第１バネ２４２は、内側第１バネ２４１上に套設されている。エジェクターピン２３の内端には、エジェクターピンの延在方向に沿って延在するバネ取付穴２３１が設けられている。内蓋２２２にはリミットピン２２４が設けられている。エジェクターピン制御機構２１は、さらに係着部２１２、係合してエジェクターピンを収縮状態に維持させる係合頭部２１３を係着部に係着させる第２バネ２１４を含む。係着部２１２は、エジェクターピン２３の頂端の外側表面に設けられている。係着部２１２は突起構造である。係合頭部２１３はボタン２１１と一体成型されている。２つのエジェクターピン制御機構２１は第２バネ２１４を共用している。
【００２２】
２つのエジェクターピン制御機構２１のうち、左側に位置するエジェクターピン制御機構のボタンの内端には、内端の端面を起点にボタンの押圧方向に沿って延在する摺動溝２１５が設けられている。
【００２３】
本発明を一つに組み立てる方法は次の通りである。
【００２４】
図３を参照して、スリーブ２２の外端の内側表面には懸架段２２５が設けられている。エジェクターピン２３が延出して係着部２１２が懸架段２２５に引っ掛かると、エジェクターピン２３はそのまま外へ移動できなくなり、スリーブ２２内に懸架される。
【００２５】
エジェクターピン２３をスリーブ２２内に貫設し、第１バネ２４はエジェクターピン２３のバネ取付穴２３１内に貫設する。エジェクターピン制御機構２１のうち左側のエジェクターピン制御機構に位置するボタンを支持部２２１に置き、エジェクターピンの右側に位置する係合頭部２１３を右側に位置する係着部２１２と係合させる。第２バネ２１４を摺動溝２１５内に置く。右側のエジェクターピン制御機構に位置するボタンを摺動溝２１５内に置いて支持部上で免振を実現し、エジェクターピンの左側に位置する係合頭部は左側に位置する係着部と係合させない。第２バネ２１４の両端は、２つのエジェクターピン制御機構のボタンと互いに接続して配置する。次に内蓋２２２を支持部２２１に係着させて、リミットピン２２４を第１バネ２４のエジェクターピンから離れた一端内に貫設する。プラグ分離機構２の組み立てがこれにより完了し、プラグ分離機構２が互いに接続されたモジュールを形成する。
【００２６】
次にエジェクターピン２３と第１半部１２のエジェクターピン用貫通孔１２１の位置を合わせる方法でプラグ分離機構をプラグハウジング１内に取り付ける。最後に第１半部１２と第２半部１３を互いに固定し直せばよい。組み立て終わった後、ボタン２１１はプラグハウジングのボタン逃がし穴１５を経てプラグハウジング１に延出する。
【００２７】
本発明を備えたプラグをコンセントから抜き取る過程は、２つのエジェクターピン制御機構２１のボタン２１１を同時に押圧すると、ボタン２１１に内側へ後退する並進運動が生じ、ボタンが運動時に係合頭部２１３を駆動して同じ方向へ一緒に並進運動させ、同時に第２バネ２１４を押圧して第２バネを蓄勢させて、係合頭部２１３が係着部２１２と分離し、第１バネ２４がエネルギーを開放してエジェクターピン２３が第１半部１２から延出するよう駆動し、延出の結果としてコンセントハウジングが押圧され、コンセントハウジングにエジェクターピン２３に対する反作用力が生じて、差込刃１１がコンセントから抜き出るというものである。
【００２８】
（実施例２）
実施例１と異なる点は次の通りである。
【００２９】
図４を参照して、エジェクターピン制御機構２１は１つだけである。この場合、第２バネの一端はボタン２１１と互いに当接し、別の一端は支持部２２１の突起２２１１と互いに当接する。
【００３０】
（実施例３）
実施例１と異なる点は次の通りである。
【００３１】
図５を参照して、２つのエジェクターピン制御機構２１のボタン２１１は、第１バネ２４の伸縮方向に対して垂直に重ね接続する。実施例１では、第１バネの伸縮方向に沿って重ね接続している。当然ながら、本実施例でも実施例２と同様に、エジェクターピン制御機構を１つだけ採用してもよい。
【００３２】
（実施例４）
実施例３と異なる点は次の通りである。
【００３３】
図６を参照して、同じエジェクターピン制御機構２１におけるボタン２１１、係着部２１２及び係合頭部２１３は、エジェクターピン２３の同じ側に位置している。係着部２１２の具体的な設計方法は、エジェクターピン２３に逃がしリング２３２を設けて、逃がしリング２３２の一側の側壁に係着部２１２を構成するというものである。組み立て時には、係合頭部２１３を逃がしリング２３２内に貫設して係着部と係合させる。
【００３４】
（実施例５）
上述の各実施例と異なる点は次の通りである。
【００３５】
図７を参照して、エジェクターピン制御機構２１は１つだけ設けているが、エジェクターピン制御機構２１にはさらに、返し部２１７及び返し部と係合するフック継手部２１６が含まれている。フック継手部２１６はエジェクターピン２３に設けている。係合頭部２１３及び返し部２１７は、エジェクターピン２３の両側に配置している。返し部２１７はヒンジ軸２１８を介してスリーブ２２にヒンジ接続しており、且つボタンによって駆動されて揺動する。
【００３６】
本実施例中、係合頭部とボタンはエジェクターピンと同じ側に位置しており、返し部とボタンはエジェクターピンの両側に位置しているが、当然ながら係合頭部とボタンはエジェクターピンの両側に位置し、返し部とボタンはエジェクターピンと同じ側に位置するように設計してもよい。
【００３７】
（実施例６）
上述の各実施例と異なる点として、それぞれは上述の各実施例をベースとした上で次の構造を追加している。
【００３８】
図９を参照して、プラグハウジング１内にはさらに、Ｌ極オンオフ制御スイッチ３及びエジェクターピン固定パワーアシスト機構４を設けている。２極プラグの差込刃はＬ極差込刃及びＮ極差込刃の２本を有しており、３極プラグはＬ極差込刃、Ｎ極差込刃及びＥ極差込刃の３本を有している。
【００３９】
Ｌ極オンオフ制御スイッチ３は、第１接点３１、第２接点３２、整流子３３、永久磁石３４及び通電子３５を含む。第１接点３１は差込刃１１中のＬ極差込刃と互いに電気接続している。第２接点３２はプラグの電源供給ケーブルのＬ線に接続した接続端子と互いに接続するか、又はそれ自体を接続端子としてもよい。整流子３３はプラグハウジング１に固定する。整流子３３及び牽引線とエジェクターピンの接続点３６は、エジェクターピンの延在方向に垂直な同一の直線上に位置している。通電子３５は、第１接点及び第２接点の配置方向に沿ってプラグハウジング内に摺動可能に接続している。通電子３５は、第１接点３１と第２接点３２の間に位置している。通電子３５は、導電性バネ３７を介して第２接点３２と互いに接続することで電気の導通を実現している。導電性バネ３７は引張コイルバネである。通電子３５には通電アーム３８がヒンジ接続されている。通電アーム３８は、牽引線３９を通じてエジェクターピン２２と互いに接続している。係合頭部２１３が係着部２１２に係着すると、通電アーム３８に対して生じる永久磁石３４の吸引力が通電アーム３８を第１接点３１と互いに当接させて、電気の導通が実現する。本実施例中、牽引線は、係合頭部２１３が係着部２１２に係着した時に第１接点が通電アームと導通できるだけの長さである。この場合、Ｌ極差込刃は第１接点３１、通電アーム３８、通電子３５、導電性バネ３７及び第２接点３２を通じて導通することにより、本発明のプラグを備えた電気製品に電気を引き込むことができる。
【００４０】
ボタン２１１を押圧して係合頭部２１３と係着部２１２が離れた場合には、エジェクターピン２２がプラグハウジング１の外に向かって延出し、プラグハウジングの外部向きに移動して変位が生じ、エジェクターピン２２が移動すると牽引線３９によって通電アーム３８が牽引されて回転し、第１接点３１と分離して、電気をＬ極差込刃から引き出せなくさせる。この過程において、牽引線の長さが不足してエジェクターピンの送り出しに干渉した場合には、導電性バネ３７の変形によって牽引線の長さの不足が補われる。
【００４１】
エジェクターピン固定パワーアシスト機構４は、エジェクターピン部ピン穴４１、ハウジング部ピン穴４２、固定ピン４３、磁石４４、電磁石４５及びボタンスイッチ４６を含む。エジェクターピン部ピン穴４１はエジェクターピン２２に設けている。エジェクターピン部ピン穴４１の深さは固定ピン４３の長さよりも浅い。ハウジング部ピン穴４２はプラグハウジング１に設けている。ハウジング部ピン穴４２の深さは固定ピン４３の長さよりも深い。エジェクターピン２２が係着部２１２を係合頭部２１３に係合されて固定されている時、エジェクターピン部ピン穴４１とハウジング部ピン穴４２は位置が合っている。固定ピン４３はハウジング部ピン穴４２内に位置している。電磁石４５はエジェクターピン２２に設けており、固定ピン４３を吸着して、固定ピン４３をエジェクターピンに向かって運動させるのに用いる。磁石４４はプラグハウジング１内に固定し、固定ピン４３がハウジング部ピン穴４２内に収縮するよう駆動するために用い、固定ピン４３に対して生じる電磁石４５の吸引力は固定ピン４３に対して生じる磁石４４の吸引力よりも大きい。ボタンスイッチ４６は常閉型スイッチである。ボタン２１１にはヘッダー４７が設けられている。ボタン２１１を押圧して係合頭部２１３を係着部２１２と分離するよう駆動させると、ヘッダー４７がボタンスイッチ４６の押圧ヘッドを押圧してボタンスイッチ４６を切断し、ボタン２１１が復帰した場合には、ヘッダー４７のボタンスイッチ４６に対する押圧作用が失われてボタンスイッチ４６が復帰する。
【００４２】
図１０を参照して、電磁石４５、ボタンスイッチ４６及びＬ極オンオフ制御スイッチ３は、差込刃１１のＬ極差込刃１１−１とＮ極差込刃１１−２の間に直列接続している。
【００４３】
図９及び図１０を参照して、エジェクターピン２２が係着部２１２を係合頭部２１３に係合されて固定されている時、エジェクターピン部ピン穴４１とハウジング部ピン穴４２は位置が合っており、この時、ボタンスイッチ４６はヘッダー４７が押圧しないために閉じた状態にあり、エジェクターピン固定パワーアシスト機構４も閉じた状態にあり、電磁石４５が電気を得て、電磁石４５から生じる吸引力が磁石４４から生じる吸引力に打ち勝ち、固定ピン４３をエジェクターピン部ピン穴４１内に挿入させるが、固定ピンの長さがエジェクターピン部ピン穴４１の深さよりも大きいため、固定ピンの一部はハウジング部ピン穴４２内にあり、固定ピン４３がエジェクターピン２２とプラグハウジング１を互いに固定し、それにより係合頭部が係着部に係合して固定するのを補助することが実現される。ボタン２１１を押圧してエジェクターピン２２を延出させると、ボタン２１１がさらにヘッダー４７を介してボタンスイッチ４６を押圧し、ボタンスイッチを切断させて電磁石４５の電源を遮断し、電磁石４５が吸着作用を失い、この時点で磁石４４の吸着力が固定ピンをハウジング部ピン穴４２内に完全に収縮させる。第１バネがエジェクターピンを弾き出すが、エジェクターピン固定パワーアシスト機構４も切断されるまでエジェクターピンが弾き出されると、たとえボタンを離したとしても電磁石には電気がなく、これによって固定ピンとエジェクターピンの間に生じる摩損を低減する作用が果たされる。
【００４４】
（付記）
（付記１）
プラグハウジングを含み、前記プラグハウジングには差込刃が設けられており、さらにプラグ分離機構を含み、前記プラグ分離機構はスリーブ、前記スリーブ内に貫設されたエジェクターピン、エジェクターピン制御機構及び前記エジェクターピンを前記差込刃のある側から前記プラグハウジングまで延出するよう駆動する第１バネが含まれ、前記エジェクターピン制御機構には、前記エジェクターピンに設けられた係着部、前記係着部と係合して前記エジェクターピンを収縮状態に維持させる係合頭部、前記係合頭部が前記係着部に引っ掛かるよう駆動する第２バネ、及び前記係合頭部が前記係着部と分離するよう駆動するボタンが含まれることを特徴としており、前記スリーブには支持部が設けられており、前記支持部には内蓋が接続されており、前記内蓋と前記支持部の間には摺動穴が形成され、前記ボタンは前記摺動穴内に摺動接続され、前記エジェクターピンは前記スリーブ内に懸架されており、前記第１バネは前記エジェクターピンと前記内蓋の間に位置しており、前記ボタンと前記係合頭部は互いに接続され、前記プラグハウジングの前記差込刃が設けられている側には前記エジェクターピンが突き出せるように設けられたエジェクターピン用貫通孔が設けられており、前記ボタンの一端は前記プラグハウジングに貫設されている、ことを特徴するモジュール化プラグ分離機構が設けられたポップアッププラグ。
【００４５】
（付記２）
前記内蓋には、前記第１バネの前記エジェクターピンから離れている一端内に貫設されたリミットピンが設けられている、ことを特徴する付記１に記載のモジュール化プラグ分離機構が設けられたポップアッププラグ。
【００４６】
（付記３）
前記係合頭部及び前記ボタンは、前記エジェクターピンの半径方向の両側に配置する、ことを特徴する付記１又は付記２に記載のモジュール化プラグ分離機構が設けられたポップアッププラグ。
【００４７】
（付記４）
前記エジェクターピン制御機構は、返し部及び前記エジェクターピンに設けられて前記返し部と係合するフック継手部をさらに含み、前記係合頭部及び前記返し部は前記エジェクターピンの両側に配置され、前記返し部は前記プラグハウジング又は前記スリーブ上にヒンジ連結され且つ前記ボタンによって駆動されて揺動する、ことを特徴する付記１又は付記２に記載のモジュール化プラグ分離機構が設けられたポップアッププラグ。
【００４８】
（付記５）
前記係合頭部は前記ボタンに固定接続され、且つ前記ボタンを押圧すると前記係合頭部が並進運動する、ことを特徴する付記１又は付記２に記載のモジュール化プラグ分離機構が設けられたポップアッププラグ。
【００４９】
（付記６）
前記エジェクターピン制御機構は２つあり、２つの前記エジェクターピン制御機構のボタンは前記エジェクターピンの両側に配置し、前記２つのエジェクターピン制御機構で前記第２バネを共用する、ことを特徴する付記１又は付記２に記載のモジュール化プラグ分離機構が設けられたポップアッププラグ。
【００５０】
（付記７）
前記２つのエジェクターピン制御機構のうち、１つのエジェクターピン制御機構のボタンの内端には、内端の端面を起点に前記ボタンの押圧方向に沿って延在する摺動溝が設けられており、もう１つのエジェクターピン制御機構のボタンの内端は摺動溝内に摺動接続され、前記第２バネは前記摺動溝内に位置し、且つ前記摺動溝の延在方向に沿って延在しており、前記第２バネの両端は前記２つのエジェクターピン制御機構のボタンと互いに接続して配置される、ことを特徴する付記６に記載のモジュール化プラグ分離機構が設けられたポップアッププラグ。
【００５１】
（付記８）
前記エジェクターピンの内端には、前記エジェクターピンの延在方向に沿って延在するバネ取付穴が設けられており、前記第１バネは前記バネ取付穴内に貫設される、ことを特徴する付記１又は付記２に記載のモジュール化プラグ分離機構が設けられたポップアッププラグ。
【００５２】
（付記９）
前記プラグハウジング内にはＬ極オンオフ制御スイッチが設けられており、前記Ｌ極オンオフ制御スイッチは、第１接点、第２接点、整流子、永久磁石及び前記第１接点と前記第２接点の間に摺動接続された通電子を含み、前記通電子は導電性バネを介して前記第２接点と互いに接続され、前記通電子には通電アームがヒンジ連結されており、前記第１接点は前記差込刃のＬ極差込刃と互いに接続され、前記第２接点はプラグの電源線に電源を引き出すためのものであり、前記永久磁石は前記通電アームを前記第１接点と吸着させて互いに接続するためのものであり、前記通電アームはさらに前記整流子によって支持された牽引線を通じて前記エジェクターピンと互いに接続され、前記係合頭部が前記係着部と互いに係着すると、前記通電アームが前記第１接点と互いに接続され、前記エジェクターピンが前記係合頭部に係合された前記係着部の固定位置から前記プラグハウジングの外部向きに移動して変位が生じると、前記エジェクターピンが前記牽引線を通じて前記通電アームを牽引して前記第１接点と分離させる、ことを特徴する付記１又は付記２に記載のモジュール化プラグ分離機構が設けられたポップアッププラグ。
【符号の説明】
【００５３】
１  プラグハウジング
１１  差込刃
１１−１  Ｌ極差込刃
１１−２  Ｎ極差込刃
１２  第１半部
１２１  エジェクターピン用貫通孔
１３  第２半部
１３１  ナット用リミット穴
１４  遮蔽板
１５  ボタン逃がし穴
１６  固定溝
１７  ボルト
１８  ナット
２  プラグ分離機構
２１  エジェクターピン制御機構
２１１  ボタン
２２１１  突起
２１２  係着部
２１３  係合頭部
２１４  第２バネ
２１５  摺動溝
２１６  フック継手部
２１７  返し部
２１８  ヒンジ軸
２２  スリーブ
２２１  支持部
２２２  内蓋
２２３  摺動穴
２２４  リミットピン
２２５  懸架段
２３  エジェクターピン
２３１  バネ取付穴
２４  第１バネ
２４１  内側第１バネ
２４２  外側第１バネ
３  Ｌ極オンオフ制御スイッチ
３１  第１接点
３２  第２接点
３３  整流子
３４  永久磁石
３５  通電子
３６  牽引線とエジェクターピンの接続点
３７  導電性バネ
３８  通電アーム
３９  牽引線
４  エジェクターピン固定パワーアシスト機構
４１  エジェクターピン部ピン穴
４２  ハウジング部ピン穴
４３  固定ピン
４４  磁石
４５  電磁石
４６  ボタンスイッチ
４７  ヘッダー
【図１】
0006797443.tif 000002
【図２】
0006797443.tif 000003
【図３】
0006797443.tif 000004
【図４】
0006797443.tif 000005
【図５】
0006797443.tif 000006
【図６】
0006797443.tif 000007
【図７】
0006797443.tif 000008
【図８】
0006797443.tif 000009
【図９】
0006797443.tif 000010